(57)【特許請求の範囲】
【請求項１】
モータの回転に応じた回転検出信号を検出し、前記回転検出信号に基づいて前記モータが回転したか否かを検出する回転検出手段と、エネルギが相互に異なる複数の主駆動パルスの中から前記モータの負荷の大きさに応じた主駆動パルスを選択して前記モータを回転駆動すると共に、前記回転検出信号に基づいて前記回転検出手段が前記主駆動パルスによる回転駆動では前記モータが回転しなかったことを検出した場合に、前記各主駆動パルスよりもエネルギが大きい補正駆動パルスで前記モータを強制的に回転駆動する制御手段とを有するモータ駆動回路において、
前記制御手段は、前記モータが回転したことを示す回転検出信号が前記回転検出手段によって検出されるまでの時間と所定の基準時間との大小関係に基づいて前記複数の主駆動パルスのうちのいずれかを選択し、該選択した主駆動パルスで前記モータを回転駆動し、
前記制御手段は、エネルギの小さい主駆動パルスによって前記モータを回転駆動した際、前記モータが回転したことを示す回転検出信号が第１基準時間経過後に前記回転検出手段によって検出された場合には、前記補正駆動パルスで駆動しないで前記主駆動パルスよりもエネルギの大きい主駆動パルスによって前記モータを回転駆動するように駆動パルスを変更することを特徴とするモータ制御回路。
【請求項２】
前記制御手段は、エネルギの小さい主駆動パルスによって前記モータを回転駆動した際、前記モータが回転したことを示す回転検出信号が第１基準時間経過前に前記回転検出手段によって検出された場合には、前記主駆動パルスを変更せずに前記モータを回転駆動することを特徴とする請求項１記載のモータ制御回路。
【請求項３】
前記制御手段は、エネルギの大きい主駆動パルスによって前記モータを回転駆動した際、前記モータが回転したことを示す回転検出信号が第２基準時間経過前に前記回転検出手段によって検出された場合には、前記主駆動パルスよりもエネルギの小さい主駆動パルスによって前記モータを回転駆動するように駆動パルスを変更することを特徴とする請求項１又は２記載のモータ制御回路。
【請求項４】
前記制御手段は、エネルギの大きい主駆動パルスによって前記モータを回転駆動した際、前記モータが回転したことを示す回転検出信号が前記第２基準時間経過後に前記回転検出手段によって検出された場合には、前記主駆動パルスを変更せずに前記モータを回転駆動することを特徴とする請求項１乃至３のいずれか一に記載のモータ制御回路。
【請求項５】
前記制御手段は、前記主駆動パルスによって前記モータを回転駆動した際、前記モータが回転したことを示す回転検出信号を前記回転検出手段が検出できなかった場合、前記補正駆動パルスで前記モータを回転駆動することを特徴とする請求項１乃至４のいずれか一に記載のモータ制御回路。
【請求項６】
モータの回転に応じた回転検出信号を検出し、前記回転検出信号に基づいて前記モータが回転したか否かを検出する回転検出手段と、エネルギが相互に異なる複数の主駆動パルスの中から前記モータの負荷の大きさに応じた主駆動パルスを選択して前記モータを回転駆動すると共に、前記回転検出信号に基づいて前記回転検出手段が前記主駆動パルスによる回転駆動では前記モータが回転しなかったことを検出した場合に、前記各主駆動パルスよりもエネルギが大きい補正駆動パルスで前記モータを強制的に回転駆動する制御手段とを有するモータ駆動回路において、
前記制御手段は、第１パルス幅の第１主駆動パルスによって前記モータを回転駆動した際、前記モータが回転したことを示す回転検出信号が第１基準時間経過前に前記回転検出手段によって検出された場合には、前記主駆動パルスを変更せずに前記モータを回転駆動し、
前記第１主駆動パルスによって前記モータを回転駆動した際、前記モータが回転したことを示す回転検出信号が前記第１基準時間経過後に前記回転検出手段によって検出された場合には、前記補正駆動パルスで駆動しないで前記第１主駆動パルスよりもエネルギの大きい第２主駆動パルスによって前記モータを回転駆動するように駆動パルスを変更し、
前記第２主駆動パルスによって前記モータを回転駆動した際、前記モータが回転したことを示す回転検出信号が第２基準時間経過前に前記回転検出手段によって検出された場合には、前記第１主駆動パルスによって前記モータを回転駆動するように駆動パルスを変更し、
前記第２主駆動パルスによって前記モータを回転駆動した際、前記モータが回転したことを示す回転検出信号が前記第２基準時間経過後に前記回転検出手段によって検出された場合には、前記主駆動パルスを変更せずに前記モータを回転駆動し、
前記第１又は第２主駆動パルスによって前記モータを回転駆動した際、前記モータが回転したことを示す回転検出信号を前記回転検出手段が検出できなかった場合、前記補正駆動パルスによって前記モータを回転駆動することを特徴とするモータ制御回路。
【請求項７】
時刻針を回転駆動するためのモータと、時間の基準となる時間信号に基づいて計時動作を行い、前記モータの回転を制御するモータ制御回路とを有し、前記モータ制御回路によって前記モータを回転駆動することにより、前記時刻針で時刻表示を行うようにしたアナログ電子時計において、
前記モータ制御回路として、請求項１乃至６のいずれか一に記載のモータ制御回路を用いて成ることを特徴とするアナログ電子時計。
【発明の詳細な説明】
【技術分野】
【０００１】
本発明は、アナログ電子時計及びアナログ電子時計等に好適なモータ制御回路に関する。
【背景技術】
【０００２】
従来から、時針や分針等の時刻を表示するための時刻針をモータで回転駆動するようにしたアナログ電子時計が利用されている。前記アナログ電子時計は、時刻針を回転駆動するモータと、前記モータの回転を制御するモータ制御回路とを有し、時間の基準となる時間信号に基づいて前記モータ制御回路によって前記モータを回転駆動することにより、前記時刻針で時刻表示を行うように構成されている。【０００３】
特許文献１に記載された電子時計においては、時刻針を回転させるためのモータを回転駆動するために、複数の主駆動パルスを選択的に使用して前記モータを回転駆動すると共に、モータを回転させることができなかったことを回転検出回路が検出した場合には前記各主駆動パルスよりもパルス幅の長い補正駆動パルスを用いて前記モータを回転駆動することにより、モータ負荷に応じた最小エネルギで回転駆動できるように構成されている。【０００４】
例えば、電子時計用カレンダ等の負荷では、最小パルス幅（最小エネルギ）の主駆動パルスでは駆動できないため、一旦補正駆動パルスで回転駆動した後、最小エネルギ駆動パルスよりもエネルギの大きい（パルス幅の大きい）主駆動パルスに変更（パルスアップ）して回転駆動するようにしている。【０００５】
大きな負荷が継続している場合には、負荷に比例したパルス幅の大きい主駆動パルスによる回転駆動を継続する。大きな負荷が無くなって負荷が小さくなると、その駆動パルスで一定期間安定に駆動していることを検出した場合、エネルギの小さい（パルス幅の小さい）主駆動パルスに変更（パルスダウン）して前記モータを回転駆動することにより、低消費電力化を実現している。【０００６】
しかしながら、負荷が小さくなってパルスダウンする際、その時点での主駆動パルスで所定回数だけ安定に駆動されている場合に、パルスダウンするように構成している。そのために、その時点での主駆動パルスによる正常な回転駆動動作が所定回数連続して行われたことを、カウンタ回路によって計数し、前記カウンタ回路が前記所定回数計数した場合に、パルスダウンを行い、負荷の大きさに応じたパルス幅の主駆動パルスに変更するようにしている。【０００７】
したがって、カウンタ回路が必要となり、モータ制御回路を構成する電子回路のみを、あるいは、モータ制御回路を含めた電子時計を構成する電子回路を集積回路（ＩＣ）化した場合、ＩＣチップサイズを小さくできないという問題がある。【０００８】
また、パルスダウンする際に変更するパルス幅や変更するタイミング等は各製品毎に異なるため、各製品毎に対応できるようにするためには回路構成が煩雑になる等の問題がある。【０００９】
また、パルスダウンを行う場合には、必要以上のパルス幅の主駆動パルスで所定回数回転駆動することになるため、電力浪費が大きくなるという問題がある。このため、電池を電源とする電子時計等においては、電池寿命が短くなり、電池交換の回数が増えて電池交換作業が煩雑になるという問題がある。
【特許文献１】特公昭６１−１５３８５号公報（第４頁右欄第５行目〜第５頁右欄第２７行目、第１１図〜第２２図）
【発明の開示】
【発明が解決しようとする課題】
【００１０】
本発明は、カウンタ回路を使用せずに簡単な構成で、モータ負荷に応じたパルス幅の主駆動パルスでモータを回転駆動可能なモータ制御回路を提供することを課題としている。また、本発明は、低消費電力化が可能なモータ制御回路を提供することを課題としている。【００１１】
また、本発明は、カウンタ回路を使用せずに簡単な構成で、モータ負荷に応じたパルス幅の主駆動パルスでモータを回転駆動可能なアナログ電子時計を提供することを課題としている。また、本発明は、低消費電力化が可能なアナログ電子時計を提供することを課題としている。
【課題を解決するための手段】
【００１２】
本発明によれば、モータの回転に応じた回転検出信号を検出し、前記回転検出信号に基づいて前記モータが回転したか否かを検出する回転検出手段と、エネルギが相互に異なる複数の主駆動パルスの中から前記モータの負荷の大きさに応じた主駆動パルスを選択して前記モータを回転駆動すると共に、前記回転検出信号に基づいて前記回転検出手段が前記主駆動パルスによる回転駆動では前記モータが回転しなかったことを検出した場合に、前記各主駆動パルスよりもエネルギが大きい補正駆動パルスで前記モータを強制的に回転駆動する制御手段とを有するモータ駆動回路において、前記制御手段は、前記モータが回転したことを示す回転検出信号が前記回転検出手段によって検出されるまでの時間と所定の基準時間との大小関係に基づいて前記複数の主駆動パルスのうちのいずれかを選択し、該選択した主駆動パルスで前記モータを回転駆動することを特徴とするモータ制御回路が提供される。【００１３】
制御手段は、モータが回転したことを示す回転検出信号が回転検出手段によって検出されるまでの時間と所定の基準時間との大小関係に基づいて複数の主駆動パルスのうちのいずれかを選択し、該選択した主駆動パルスで前記モータを回転駆動する。【００１４】
ここで、前記制御手段は、主駆動パルスによって前記モータを回転駆動した際、前記モータが回転したことを示す回転検出信号が前記基準時間経過後に前記回転検出手段によって検出された場合には、前記主駆動パルスを変更せずに前記モータを回転駆動するように構成してもよい。【００１５】
また、前記制御手段は、主駆動パルスによって前記モータを回転駆動した際、前記モータが回転したことを示す回転検出信号が前記基準時間経過前に前記回転検出手段によって検出された場合には、前記回転駆動した主駆動パルスよりもエネルギの小さい主駆動パルスを選択して前記モータを回転駆動するように構成してもよい。【００１６】
また、本発明によれば、モータの回転に応じた回転検出信号を検出し、前記回転検出信号に基づいて前記モータが回転したか否かを検出する回転検出手段と、エネルギが相互に異なる複数の主駆動パルスの中から前記モータの負荷の大きさに応じた主駆動パルスを選択して前記モータを回転駆動すると共に、前記回転検出信号に基づいて前記回転検出手段が前記主駆動パルスによる回転駆動では前記モータが回転しなかったことを検出した場合に、前記各主駆動パルスよりもエネルギが大きい補正駆動パルスで前記モータを強制的に回転駆動する制御手段とを有するモータ駆動回路において、
前記制御手段は、第１パルス幅の第１主駆動パルスで前記モータを駆動した際、前記回転検出手段によって前記モータが回転したことを示す回転検出信号が検出された場合には前記第１主駆動パルスによる前記モータの回転駆動を継続すると共に、前記回転検出手段によって前記モータが回転したことを示す回転検出信号が検出されなかった場合には前記補正駆動パルスで前記モータを回転駆動した後に、前記第１主駆動パルスよりもパルス幅の長い第２主駆動パルスで前記モータを回転駆動し、
前記第２主駆動パルスで前記モータを駆動した際、前記回転検出手段によって前記モータが回転したことを示す回転検出信号が検出され且つ前記モータが回転したことを示す回転検出信号が所定の基準時間経過後に前記回転検出手段によって検出された場合には、前記第２主駆動パルスによる前記モータの回転駆動を継続し、
前記第２主駆動パルスで前記モータを駆動した際、前記回転検出手段によって前記モータが回転したことを示す回転検出信号が検出され且つ前記モータが回転したことを示す回転検出信号が所定の基準時間経過前に前記回転検出手段によって検出された場合には、前
記第１主駆動パルスによる前記モータの回転駆動に変更し、
前記第２主駆動パルスで前記モータを駆動した際、前記回転検出手段によって前記モータが回転したことを示す回転検出信号が検出されなかった場合には、前記補正駆動パルスで前記モータを回転駆動した後に、前記第１主駆動パルスでモータを回転駆動することを特徴とするモータ制御回路が提供される。【００１７】
制御手段は、第１パルス幅の第１主駆動パルスで前記モータを駆動した際、前記回転検出手段によって前記モータが回転したことを示す回転検出信号が検出された場合には前記第１主駆動パルスによる前記モータの回転駆動を継続すると共に、前記回転検出手段によって前記モータが回転したことを示す回転検出信号が検出されなかった場合には前記補正駆動パルスで前記モータを回転駆動した後に、前記第１主駆動パルスよりもパルス幅の長い第２主駆動パルスで前記モータを回転駆動し、
前記第２主駆動パルスで前記モータを駆動した際、前記回転検出手段によって前記モータが回転したことを示す回転検出信号が検出され且つ前記モータが回転したことを示す回転検出信号が所定の基準時間経過後に前記回転検出手段によって検出された場合には、前記第２主駆動パルスによる前記モータの回転駆動を継続し、
前記第２主駆動パルスで前記モータを駆動した際、前記回転検出手段によって前記モータが回転したことを示す回転検出信号が検出され且つ前記モータが回転したことを示す回転検出信号が所定の基準時間経過前に前記回転検出手段によって検出された場合には、前
記第１主駆動パルスによる前記モータの回転駆動に変更し、
前記第２主駆動パルスで前記モータを駆動した際、前記回転検出手段によって前記モータが回転したことを示す回転検出信号が検出されなかった場合には、前記補正駆動パルスで前記モータを回転駆動した後に、前記第１主駆動パルスでモータを回転駆動する。【００１８】
また、前記制御手段は、エネルギの小さい主駆動パルスによって前記モータを回転駆動した際、前記モータが回転したことを示す回転検出信号が第１基準時間経過前に前記回転検出手段によって検出された場合には、前記主駆動パルスを変更せずに前記モータを回転駆動するように構成してもよい。【００１９】
また、前記制御手段は、エネルギの小さい主駆動パルスによって前記モータを回転駆動した際、前記モータが回転したことを示す回転検出信号が第１基準時間経過後に前記回転検出手段によって検出された場合には、前記主駆動パルスよりもエネルギの大きい主駆動パルスによって前記モータを回転駆動するように駆動パルスを変更するように構成してもよい。【００２０】
また、前記制御手段は、エネルギの大きい主駆動パルスによって前記モータを回転駆動した際、前記モータが回転したことを示す回転検出信号が第２基準時間経過前に前記回転検出手段によって検出された場合には、前記主駆動パルスよりもエネルギの小さい主駆動パルスによって前記モータを回転駆動するように駆動パルスを変更するように構成してもよい。【００２１】
また、前記制御手段は、エネルギの大きい主駆動パルスによって前記モータを回転駆動した際、前記モータが回転したことを示す回転検出信号が前記第２基準時間経過後に前記回転検出手段によって検出された場合には、前記主駆動パルスを変更せずに前記モータを回転駆動するように構成してもよい。【００２２】
また、前記制御手段は、前記主駆動パルスによって前記モータを回転駆動した際、前記モータが回転したことを示す回転検出信号を前記回転検出手段が検出できなかった場合、前記補正駆動パルスで前記モータを回転駆動するように構成してもよい。【００２３】
また、本発明によれば、モータの回転に応じた回転検出信号を検出し、前記回転検出信号に基づいて前記モータが回転したか否かを検出する回転検出手段と、エネルギが相互に異なる複数の主駆動パルスの中から前記モータの負荷の大きさに応じた主駆動パルスを選択して前記モータを回転駆動すると共に、前記回転検出信号に基づいて前記回転検出手段が前記主駆動パルスによる回転駆動では前記モータが回転しなかったことを検出した場合に、前記各主駆動パルスよりもエネルギが大きい補正駆動パルスで前記モータを強制的に回転駆動する制御手段とを有するモータ駆動回路において、
前記制御手段は、第１パルス幅の第１主駆動パルスによって前記モータを回転駆動した際、前記モータが回転したことを示す回転検出信号が第１基準時間経過前に前記回転検出手段によって検出された場合には、前記主駆動パルスを変更せずに前記モータを回転駆動し、
前記第１主駆動パルスによって前記モータを回転駆動した際、前記モータが回転したことを示す回転検出信号が前記第１基準時間経過後に前記回転検出手段によって検出された場合には、前記第１主駆動パルスよりもエネルギの大きい第２主駆動パルスによって前記モータを回転駆動するように駆動パルスを変更し、
前記第２主駆動パルスによって前記モータを回転駆動した際、前記モータが回転したことを示す回転検出信号が第２基準時間経過前に前記回転検出手段によって検出された場合には、前記第１主駆動パルスによって前記モータを回転駆動するように駆動パルスを変更し、
前記第２主駆動パルスによって前記モータを回転駆動した際、前記モータが回転したことを示す回転検出信号が前記第２基準時間経過後に前記回転検出手段によって検出された場合には、前記主駆動パルスを変更せずに前記モータを回転駆動し、
前記第１又は第２主駆動パルスによって前記モータを回転駆動した際、前記モータが回転したことを示す回転検出信号を前記回転検出手段が検出できなかった場合、前記補正駆動パルスによって前記モータを回転駆動することを特徴とするモータ制御回路が提供される。【００２４】
制御手段は、第１パルス幅の第１主駆動パルスによって前記モータを回転駆動した際、前記モータが回転したことを示す回転検出信号が第１基準時間経過前に前記回転検出手段によって検出された場合には、前記主駆動パルスを変更せずに前記モータを回転駆動し、
前記第１主駆動パルスによって前記モータを回転駆動した際、前記モータが回転したことを示す回転検出信号が前記第１基準時間経過後に前記回転検出手段によって検出された場合には、前記第１主駆動パルスよりもエネルギの大きい第２主駆動パルスによって前記モータを回転駆動するように駆動パルスを変更し、
前記第２主駆動パルスによって前記モータを回転駆動した際、前記モータが回転したことを示す回転検出信号が第２基準時間経過前に前記回転検出手段によって検出された場合には、前記第１主駆動パルスによって前記モータを回転駆動するように駆動パルスを変更し、
前記第２主駆動パルスによって前記モータを回転駆動した際、前記モータが回転したことを示す回転検出信号が前記第２基準時間経過後に前記回転検出手段によって検出された場合には、前記主駆動パルスを変更せずに前記モータを回転駆動し、
前記第１又は第２主駆動パルスによって前記モータを回転駆動した際、前記モータが回転したことを示す回転検出信号を前記回転検出手段が検出できなかった場合、前記補正駆動パルスによって前記モータを回転駆動する。【００２５】
前記第１、第２基準時間は同一の時間であるように構成してもよい。【００２６】
また、本発明によれば、時刻針を回転駆動するためのモータと、時間の基準となる時間信号に基づいて計時動作を行い、前記モータの回転を制御するモータ制御回路とを有し、前記モータ制御回路によって前記モータを回転駆動することにより、前記時刻針で時刻表示を行うようにしたアナログ電子時計において、前記モータ制御回路として、前記いずれか一に記載のモータ制御回路を用いて成ることを特徴とするアナログ電子時計が提供される。
【発明の効果】
【００２７】
本発明のモータ制御回路によれば、カウンタ回路を使用せずに簡単な構成で、負荷に応じたエネルギの主駆動パルスでモータを回転駆動することが可能になる。また、低消費電力化が可能になる。【００２８】
また、主駆動パルス間の切換時に補正駆動パルスでの駆動を行わないようにすることにより、更に低消費電力化が可能になる。【００２９】
また、本発明のアナログ電子時計によれば、カウンタ回路を使用せずに簡単な構成で、負荷に応じたエネルギの主駆動パルスでモータを回転駆動することが可能になる。また、低消費電力化が可能になる。
【図面の簡単な説明】
【００３０】
【図１】本発明の実施の形態に係るアナログ電子時計のブロック図である。
【図２】本発明の実施の形態に係るアナログ電子時計に使用するステップモータの構成図である。
【図３】本発明の実施の形態に係るアナログ電子時計の動作示すタイミング図である。
【図４】本発明の実施の形態に係るアナログ電子時計の動作を示すフローチャートである。
【図５】本発明の実施の形態に係るアナログ電子時計の動作示すタイミング図である。
【図６】本発明の他の実施の形態に係るアナログ電子時計の動作示すタイミング図である。
【図７】本発明の他の実施の形態に係るアナログ電子時計の動作を示すフローチャートである。
【図８】本発明の他の実施の形態に係るアナログ電子時計の動作示すタイミング図である。
【符号の説明】
【００３１】
１０１・・・信号発生手段を構成する発振回路
１０２・・・信号発生手段を構成する分周回路
１０３・・・回転検出手段及び制御手段を構成する制御回路
１０４・・・制御手段を構成する駆動パルス選択回路
１０５・・・モータ
１０６・・・時刻表示手段を構成するアナログ表示部
１０７・・・時針
１０８・・・分針
１０９・・・秒針
１１０・・・回転検出手段及び制御手段を構成する回転検出回路
１１１・・・回転検出手及び制御手段を構成する検出時間判別回路
【発明を実施するための最良の形態】
【００３２】
図１は、本発明の実施の形態に係るアナログ電子時計のブロック図で、アナログ電子腕時計の例を示している。【００３３】
図１において、電子時計は、所定周波数の信号発生する発振回路１０１、発振回路１０１で発生した信号を分周して計時の基準となる時計信号を発生する分周回路１０２、電子時計を構成する各電子回路要素の制御や駆動パルスの変更制御等の制御を行う制御回路１０３、制御回路１０３からの制御信号に基づいてモータ回転駆動用の駆動パルスを選択し出力する駆動パルス選択回路１０４、駆動パルス選択回路１０４からの駆動パルスによって回転駆動されるモータ１０５、モータ１０５によって回転駆動され時刻を表示するための時刻針（図１の例では時針１０７、分針１０８、秒針１０９の３種類）を有するアナログ表示部１０６、モータ１０５から回転状況を表す回転検出信号を検出する回転検出回路１１０、所定時刻（例えばモータ１０５に対する駆動パルス供給開始時、あるいは駆動パルス供給終了時）からモータ１０５が回転したことを示す回転検出信号を回転検出回路１１０が検出するまでの時間と所定の基準時間との大小関係を判別する検出時間判別回路１１１を有している。【００３４】
回転検出回路１１０は、前記特許文献１に記載された回転検出回路と同様の構成のものであり、モータ１０５が回転した場合には所定の基準信号電圧Ｖｃｏｍｐを越えるレベルの回転検出信号を検出し、モータ１０５が回転しなかった場合には前記基準信号電圧Ｖｃｏｍｐを越えるレベルの回転検出信号は検出できないように構成されている。【００３５】
尚、制御回路１０３、駆動パルス選択回路１０４、回転検出回路１１０、検出時間判別回路１１１はモータ制御回路を構成している。また、制御回路１０３、回転検出回路１１０及び検出時間判別回路１１１は回転検出手段を構成し、制御回路１０３、駆動パルス選択回路１０４、回転検出回路１１０及び検出時間判別回路１１１は制御手段を構成している。【００３６】
図２は、本発明の実施の形態に使用するモータ１０５の構成図で、アナログ電子時計で一般に用いられている時計用ステップモータの例を示している。【００３７】
図２において、モータ１０５は、ロータ収容用貫通孔２０３を有するステータ２０１、ロータ収容用貫通孔２０３に回転可能に配設されたロータ２０２、ステータ２０１と一体化された磁心２０８、磁心２０８に巻回されたコイル２０９を備えている。モータ１０５を電子時計に用いる場合には、ステータ２０１及び磁心２０８はネジ（図示せず）によって地板（図示せず）に固着される。【００３８】
ロータ２０２は、２極（Ｓ極及びＮ極）に着磁されている。磁性材料によって形成されたステータ２０１の外端部には、ロータ収容用貫通孔２０３を挟んで対向する位置に複数（本実施の形態では２個）の切り欠き部（外ノッチ）２０６、２０７が設けられている。各外ノッチ２０６、２０７とロータ収容用貫通孔２０３間には可飽和部２１０、２１１が設けられている。【００３９】
可飽和部２１０、２１１は、ロータ２０２の磁束によっては磁気飽和せず、コイル２０
９が励磁されたときに磁気飽和して磁気抵抗が大きくなるように構成されている。ロータ収容用貫通孔２０３は、輪郭が円形の貫通孔の対向部分に複数（本実施の形態では２つ）の半月状の切り欠き部（内ノッチ）２０４、２０５を一体形成した円孔形状に構成されている。【００４０】
切り欠き部２０４、２０５は、ロータ２０２の停止位置を決めるための位置決め部を構成している。コイル２０９が励磁されていない状態では、ロータ２０２は、図２に示すように前記位置決め部に対応する位置、換言すれば、ロータ２０２の磁極軸Ａが、切り欠き部２０４、２０５を結ぶ線分と直交するような位置に安定して停止している。【００４１】
いま、駆動パルス選択回路１０４から矩形波の駆動パルスをコイル２０９に供給して、図２の矢印方向に電流ｉを流すと、ステータ２０１には破線矢印方向に磁束が発生する。これにより、可飽和部２１０、２１１が飽和して磁気抵抗が大きくなり、その後、ステータ２０１に生じた磁極とロータ２０２の磁極との相互作用によって、ロータ２０２は図２の矢印方向に１８０度回転し、安定的に停止する。【００４２】
次に、駆動パルス選択回路１０４から、逆極性の矩形波の駆動パルスをコイル２０９に供給して、図２の反矢印方向に電流を流すと、ステータ２０１には反破線矢印方向に磁束が発生する。これにより、可飽和部２１０、２１１が先ず飽和し、その後、ステータ２０１に生じた磁極とロータ２０２の磁極との相互作用によって、ロータ２０２は前記と同一方向に１８０度回転し、安定的に停止する。【００４３】
以後、このように、コイル２０９に対して極性の異なる信号（交番信号）を供給することによって、前記動作が繰り返し行われて、ロータ２０２を１８０度ずつ矢印方向に連続的に回転させることができるように構成されている。尚、本実施の形態では、駆動パルスとして、後述するように、複数の主駆動パルスＰ１１、Ｐ１２及び補正駆動パルスＰ２を用いている。【００４４】
図３は、本実施の形態において使用する複数（本実施の形態では２種類）の主駆動パルス（第１パルス幅の第１主駆動パルスＰ１１、第２パルス幅の第２主駆動パルスＰ１２）及びモータ１０５が回転したか否かを表す回転検出信号を示すタイミング図である。【００４５】
図３において、主駆動パルスＰ１１、Ｐ１２は、相互に駆動エネルギ（本実施の形態ではパルス幅）が相違する矩形波のパルス信号であり、主駆動パルスＰ１１は主駆動パルス１２よりもエネルギが小さい、換言すればパルス幅が短いパルス信号となっている。後述するように、第３パルス幅の補正駆動パルスＰ２は、主駆動パルスＰ１１、Ｐ１２よりもエネルギが大きく（パルス幅が長く）構成されている。即ち、各駆動パルスＰ１１、Ｐ１２、Ｐ２は、各パルス幅がＰ１１＜Ｐ１２＜Ｐ２となるように構成されている。【００４６】
図３に示すような回転検出信号のうち、所定の基準信号電圧Ｖｃｏｍｐを越えるレベルの回転検出信号Ｓ１、Ｓ２が、モータ１０５が回転したことを示す回転検出信号であり、基準信号電圧Ｖｃｏｍｐ以下の回転検出信号は、モータ１０５が回転していない場合に検出される回転検出信号である。【００４７】
尚、主駆動パルスＰ１１、Ｐ１２とは、モータ１０５を継続的に回転駆動するための駆動パルスであり、一方、補正駆動パルスＰ２とは、モータ１０５の負荷が大きくなって主駆動パルスＰ１１、Ｐ１２ではモータ１０５を回転駆動できない場合に、強制的にモータ１０５を回転駆動させるために、臨時に使用される駆動パルスである。【００４８】
詳細は後述するが、本実施の形態では、モータ１０５の負荷の大きさに比べて主駆動パルスのパルス幅が適正な場合や大きい場合には、モータ１０５が速く回転するため、モータ１０５が回転したことを表す回転検出信号が早い時間で発生し、モータ１０５の負荷の大きさに比べて主駆動パルスのパルス幅が小さい場合には、モータ１０５が緩やかに回転するため、モータ１０５が回転したことを表す回転検出信号が遅い時間で発生し、モータ１０５の負荷の大きさに比べて主駆動パルスのパルス幅が小さすぎる場合には、モータ１０５が回転しないため、モータ１０５が回転したことを表す回転検出信号が発生しないことに着目して成されたものである。モータ１０５が回転したことを示す回転検出信号が、所定の基準時（図３では、モータ１０５に対する主駆動パルスＰ１１、Ｐ１２の供給終了時）から回転検出回路１１０によって検出されるまでの時間と所定の基準時間ｔとの大小関係に基づいて、複数の主駆動パルスＰ１１、Ｐ１２のうちのいずれかを選択し、該選択した主駆動パルスでモータ１０５を回転駆動するように構成されている。【００４９】
即ち、負荷の大きさに応じて、複数の主駆動パルスＰ１１、Ｐ１２のうちのいずれかを選択し、該選択した主駆動パルスでモータ１０５を駆動するように構成されており、負荷が小さい場合には主駆動パルスＰ１１で回転駆動し、主駆動パルスＰ１１では回転駆動できないような大きさの負荷の場合には主駆動パルスＰ１２で回転駆動するように構成されている。【００５０】
主駆動パルスでＰ１１でモータ１０５を回転駆動したとき、モータ１０５が回転したことを表す回転検出信号Ｓ１が所定の基準時間ｔよりも短い時間（時間Ｔ１内）で発生したと検出時間判別回路１１１が判断した場合、即ち、モータ１０５が回転したことを示す回転検出信号Ｓ１が所定の基準時間ｔ経過前に回転検出回路１１０によって検出された場合には、制御回路１０３は、モータ１０５の負荷に対して適切なエネルギで回転駆動していると判定し、主駆動パルスＰ１１でのモータ１０５の回転駆動を継続する。【００５１】
主駆動パルスでＰ１２でモータ１０５を回転駆動したとき、モータ１０５が回転したことを表す回転検出信号Ｓ２が所定の基準時間ｔよりも長い時間（時間Ｔ２内）で発生したと検出時間判別回路１１１が判断した場合、即ち、モータ１０５が回転したことを示す回転検出信号Ｓ２が所定の基準時間ｔ経過後に回転検出回路１１０によって検出された場合には、制御回路１０３は、モータ１０５の負荷に適した主駆動パルスＰ１２で駆動していると判定し、主駆動パルスＰ１２によって継続してモータ１０５を回転駆動する。【００５２】
一方、主駆動パルスでＰ１２でモータ１０５を回転駆動したとき、モータ１０５が回転したことを表す回転検出信号Ｓ１が所定の基準時間ｔよりも短い時間（時間Ｔ１内）で発生したと検出時間判別回路１１１が判断した場合、即ち、モータ１０５が回転したことを示す回転検出信号が所定の基準時間ｔ経過前に回転検出回路１１０によって検出された場合には、制御回路１０３は、モータ１０５の負荷に比べてエネルギの大きい主駆動パルスＰ１２で駆動している、即ち、エネルギの浪費が生じていると判定し、主駆動パルスＰ１１でモータ１０５を回転駆動するように主駆動パルスの選択切換（パルスダウン）を行い、新たに選択した主駆動パルスＰ１１によってモータ１０５を回転駆動するように制御する。【００５３】
図４は、本発明の実施の形態に係るアナログ電子時計の動作を示すフローチャートであり、主として制御回路１０３の処理を示すフローチャートである。【００５４】
図５は、本発明の実施の形態に係るアナログ電子時計の動作を示すタイミング図である。【００５５】
以下、図１〜図５を参照して、本発明の実施の形態に係るアナログ電子時計及び前記アナログ電子時計に好適なモータ制御回路の動作を詳細に説明する。【００５６】
図１において、発振回路１０１は所定周波数の基準クロック信号を発生し、分周回路１０２は発振回路１０１で発生した前記信号を分周して計時の基準となる時計信号を発生し、制御回路１０３に出力する。【００５７】
先ず、モータ負荷が小さく、主駆動パルスＰ１１によって回転駆動する場合の通常駆動
動作（図５（ａ）参照）について説明する。【００５８】
この場合、先ず制御回路１０３は、前記時間信号を計数して計時動作を行い、所定タイミングで、パルス幅の短い第１の主駆動パルスＰ１１でモータ１０５を回転駆動するように制御信号を出力する（図４のステップＳ４０１）。【００５９】
駆動パルス選択回路１０４は、制御回路１０３からの制御信号に応答して、主駆動パルスＰ１１でモータ１０５を回転駆動する。モータ１０５は主駆動パルスＰ１１によって回転駆動されて、時刻針１０７〜１０９を回転駆動する。これにより、表示部１０６には、時刻針１０７〜１０９によって現在時刻が随時表示される。【００６０】
回転検出回路１１０は、モータ１０５から回転状況を表す回転検出信号を検出して検出時間判別回路１１１に出力する。検出時間判別回路１１１は、回転検出回路１１０からの回転検出信号と所定の基準信号電圧Ｖｃｏｍｐとを比較して、回転検出信号電圧が前記基準信号電圧Ｖｃｏｍｐを越えたか否か、即ち、モータ１０５が回転したか否かを判別して、回転したか否かを制御回路１０３に通知すると共に、前記基準信号電圧Ｖｃｏｍｐを越える回転検出信号を検出した場合には、主駆動パルスＰ１１をモータ１０５に供給完了してから該回転検出信号が発生するまでの時間と所定の基準時間ｔとを比較して、前記発生するまでの時間が基準時間ｔより大きいか否かを制御回路１０３に通知する。【００６１】
制御回路１０３は、検出時間判定回路１１１からの情報に基づいて、回転検出信号の電圧が基準信号電圧Ｖｃｏｐｍｐを越えたか否か、即ち、モータ１０５が回転したか否かを判別する（ステップＳ４０２）。【００６２】
制御回路１０３は、ステップＳ４０２において、回転検出信号電圧が基準信号電圧Ｖｃｏｍｐを越えたと判断した場合、即ち、モータ１０５が回転したと判断した場合には、モータ１０５の負荷が主駆動パルスＰ１１で駆動可能な大きさということであるため、ステップＳ４０１に戻って、主駆動パルスＰ１１によって継続してモータ１０５を回転駆動させるための制御信号を駆動パルス選択回路１０４に出力する。駆動パルス選択回路１０４は制御回路１０３からの制御信号に応答して主駆動パルスＰ１１により継続してモータ１０５を回転駆動する。以上を繰り返すことにより、通常駆動動作が行われる。【００６３】
次に、パルスアップ動作を説明する（図５（ｂ））。制御回路１０３は、ステップＳ４０２において、回転検出信号電圧が基準電圧Ｖｃｏｍｐを越えなかったと判断した場合、即ち、モータ１０５が回転しなかったと判断した場合には、モータ１０５の負荷が主駆動パルスＰ１１で駆動できない大きさということであるため、臨時的に補正駆動パルスＰ２によってモータ１０５を回転駆動させるための制御信号を駆動パルス選択回路１０４に出力する（ステップＳ４０３）。【００６４】
駆動パルス選択回路１０４は制御回路１０３からの前記制御信号に応答して、補正駆動パルスＰ２によりモータ１０５を回転駆動する。これにより、モータ１０５は主駆動パルスＰ１１の駆動では回転しなかったが、その直後の補正駆動パルスＰ２の駆動によって回転することになる。【００６５】
モータ１０５の負荷が極一時的に増加していた場合には次のステップで主駆動パルスＰ１１による駆動を行えばモータ１０５が回転する可能性は大きいが、一般には回転する可能性が低いため又、より確実に回転させることができるように、次のステップでは、制御回路１０３は主駆動パルスＰ１２によってモータ１０５を回転駆動するように制御する（ステップＳ４０４）。駆動パルス選択回路１０４は、制御回路１０３の制御の下、主駆動パルスＰ１２によってモータ１０５を回転駆動する。【００６６】
次に、パルスダウン動作について説明する（図５（ｃ）参照）。制御回路１０３は、ステップＳ４０４において主駆動パルスＰ１２によってモータ１０５を回転駆動した後、検出時間判定回路１１１からの情報に基づいて、回転検出信号電圧が基準電圧Ｖｃｏｍｐを越えたか否か、即ち、モータ１０５が回転したか否かを判別する（ステップＳ４０５）。【００６７】
制御回路１０３は、ステップＳ４０５において、回転検出信号電圧が基準電圧Ｖｃｏｍｐを越えなかったと判断した場合、即ち、モータ１０５が回転しなかったと判断した場合には、モータ１０５の負荷が主駆動パルスＰ１２で駆動できない大きさということであるため、臨時的に補正駆動パルスＰ２によってモータ１０５を回転駆動させるための制御信号を駆動パルス選択回路１０４に出力する（ステップＳ４０６）。駆動パルス選択回路１０４は制御回路１０３からの制御信号に応答して補正駆動パルスＰ２によりモータ１０５を回転駆動する。これにより、モータ１０５は主駆動パルスＰ１２の駆動では回転しなかったが、その直後の補正駆動パルスＰ２の駆動によって回転することになる。モータ１０５の負荷は一時的に増加し、一旦回転すると負荷が減少する可能性があるため、制御回路１０３は、ステップＳ４０６の後に、ステップＳ４０１に戻って、主駆動パルスＰ１１によってモータ１０５の回転駆動制御を行う。【００６８】
制御回路１０３は、ステップＳ４０５において、回転検出信号電圧が基準電圧Ｖｃｏｍｐを越えたと判断した場合、即ち、モータ１０５が回転したと判断した場合には、主駆動パルスＰ１２をモータ１０５に供給完了してから該回転検出信号が発生するまでの時間と所定の基準時間ｔとを比較して、前記回転検出信号が発生するまでの時間が基準時間ｔより長いか否か（即ち、前記回転検出信号が発生するまでの時間が基準時間ｔより以前の時間Ｔ１側に入るか、あるいは、時間Ｔ２側に入るか）を判断する（ステップＳ４０７）。【００６９】
制御回路１０３は、ステップＳ４０７において、主駆動パルスＰ１２をモータ１０５に供給完了してから該回転検出信号が発生するまでの時間が基準時間ｔより長いと判断した場合には、モータ１０５の負荷が主駆動パルスＰ１２によって駆動するのに適した大きさであると判断して、ステップＳ４０４に戻って、主駆動パルスＰ１２によるモータ１０５の回転駆動を継続する。【００７０】
一方、制御回路１０３は、ステップＳ４０７において、主駆動パルスＰ１２をモータ１０５に供給完了してから該回転検出信号が発生するまでの時間が基準時間ｔより短いと判断した場合には、モータ１０５の負荷が主駆動パルスＰ１２によって駆動するには小さすぎる（主駆動パルスＰ１２による駆動では電力喪失が大きい）と判断して、ステップＳ４０１に戻って、主駆動パルスＰ１１によるモータ１０５の回転駆動を行う。以上のようにして、パルスダウン動作が行われたことになる。【００７１】
以上述べたように、本実施の形態に係るモータ制御回路は、モータが回転したことを示す回転検出信号が検出されるまでの時間と所定の基準値時間との大小関係に基づいて複数の主駆動パルスのうちのいずれかを選択し、該選択した主駆動パルスで前記モータを回転駆動するように構成しているため、カウンタ回路を使用することなく簡単な構成で、モータ負荷に応じたエネルギの主駆動パルスでモータを回転駆動することが可能になり、低消費電力化が可能になる。また、モータ制御回路を集積回路化した場合に、小型化可能になる。【００７２】
また、前記各実施の形態に係るアナログ電子時計によれば、簡単な構成で、負荷に応じたエネルギの主駆動パルスでモータを回転駆動することが可能になり、低消費電力化、小型化が可能になる。【００７３】
次に、本発明の他の実施の形態に係るアナログ電子時計について説明する。尚、本他の実施の形態におけるブロック図及びアナログ電子時計に使用するステップモータの構成図は図１、図２と同一である。また、本他の実施の形態に係る以下の説明において、図１〜図５と同一部分には同一符号を付して説明する。【００７４】
図６は、本他の実施の形態において使用する複数（本他の実施の形態では２種類）の主駆動パルス（第１パルス幅の第１主駆動パルスＰ１１、前記第１主駆動パルスよりもエネルギの大きい第２パルス幅の第２主駆動パルスＰ１２）及びモータ１０５が回転したか否かを表す回転検出信号を示すタイミング図である。【００７５】
図６において、主駆動パルスＰ１１、Ｐ１２及び後述する補正駆動パルスＰ２は、図３と同様に、各パルス幅がＰ１１＜Ｐ１２＜Ｐ２となるように構成されている。【００７６】
図６に示すような回転検出信号のうち、所定の基準信号電圧Ｖｃｏｍｐを越えるレベルの回転検出信号Ｓ１、Ｓ２が、モータ１０５が回転したことを示す回転検出信号であり、基準信号電圧Ｖｃｏｍｐ以下の回転検出信号は、モータ１０５が回転していない場合に検出される回転検出信号である。【００７７】
詳細は後述するが、本他の実施の形態では、主駆動パルスＰ１１、Ｐ１２の各々に対応して、主駆動パルスＰ１１、Ｐ１２間の切換えの判定基準となる基準時間（パルス切換判断時間）ｔ１、ｔ２を設けている。【００７８】
モータ１０５が回転したことを示す回転検出信号が、所定の基準時（図６では、モータ１０５に対する主駆動パルスＰ１１、Ｐ１２の供給終了時）から回転検出回路１１０によって検出されるまでの時間と所定の基準時間ｔ１、ｔ２との大小関係に基づいて、複数の主駆動パルスＰ１１、Ｐ１２のうちのいずれかを選択し、該選択した主駆動パルスでモータ１０５を回転駆動するように構成されている。即ち、前記実施の形態と同様に、モータ１０５の回転速度が駆動パルスのエネルギに応じて変化するため、回転検出信号が検出されるまでの時間と所定の基準時間とを比較することによって、適切なエネルギの駆動パルスか否かを判断し、その判断結果に応じて適切な駆動パルスを選択するように構成している。【００７９】
例えば、主駆動パルスＰ１１によってモータ１０５を回転駆動したとき、モータ１０５が回転したことを表す回転検出信号Ｓ２が第１基準時間ｔ１よりも短い時間（時間Ｔ１１内）で発生したと検出時間判別回路１１１が判断した場合、即ち、モータ１０５が回転したことを示す回転検出信号Ｓ２が所定の基準時間ｔ１経過前に回転検出回路１１０によって検出された場合には、制御回路１０３は、モータ１０５の負荷に対して適切なエネルギで回転駆動していると判定し、主駆動パルスＰ１１でのモータ１０５の回転駆動を継続する。【００８０】
また、主駆動パルスＰ１１でモータ１０５を回転駆動したとき、モータ１０５が回転したことを表す回転検出信号Ｓ２が第１基準時間ｔ１よりも後の時間（時間Ｔ２１内）で発生したと検出時間判別回路１１１が判断した場合、即ち、モータ１０５が回転したことを示す回転検出信号Ｓ２が所定の基準時間ｔ１経過後に回転検出回路１１０によって検出された場合には、制御回路１０３は、モータ１０５の駆動エネルギが小さいと判定し、主駆動パルスＰ１１よりもエネルギの大きい主駆動パルスＰ１２に切り換えて、モータ１０５の回転駆動を継続する。【００８１】
一方、主駆動パルスＰ１２によってモータ１０５を回転駆動したとき、モータ１０５が回転したことを表す回転検出信号Ｓ１が所定の第２基準時間ｔ２よりも短い時間（時間Ｔ１２内）で発生したと検出時間判別回路１１１が判断した場合、即ち、モータ１０５が回転したことを示す回転検出信号Ｓ１が所定の第２基準時間ｔ２経過前に回転検出回路１１０によって検出された場合には、制御回路１０３は、モータ１０５の負荷に対して過大なエネルギで回転駆動していると判定し、主駆動パルスＰ１２よりもエネルギの小さい主駆動パルスＰ１１によるモータ１０５の回転駆動に切り換える。【００８２】
また、主駆動パルスＰ１２でモータ１０５を回転駆動したとき、モータ１０５が回転したことを表す回転検出信号Ｓ１が所定の第２基準時間ｔ２よりも後の時間（時間Ｔ２２内）で発生したと検出時間判別回路１１１が判断した場合、即ち、モータ１０５が回転したことを示す回転検出信号Ｓ２が所定の第２基準時間ｔ２経過後に回転検出回路１１０によって検出された場合には、制御回路１０３は、モータ１０５の駆動エネルギが適正と判定し、主駆動パルスＰ１２によるモータ１０５の回転駆動を継続する。【００８３】
このように、負荷の大きさに応じて、複数の主駆動パルスＰ１１、Ｐ１２のうちのいずれかを選択し、該選択した主駆動パルスでモータ１０５を駆動するように構成されており、負荷が小さい場合には主駆動パルスＰ１１で回転駆動し、主駆動パルスＰ１１では回転駆動できないような大きさの負荷の場合には主駆動パルスＰ１２で回転駆動するように構成することにより、補正駆動パルスＰ２による駆動を極力行わないようにして、省エネルギ化を実現している。【００８４】
図７は、本他の実施の形態に係るアナログ電子時計の動作を示すフローチャートであり、主として制御回路１０３の処理を示すフローチャートである。【００８５】
図８は、本他の実施の形態に係るアナログ電子時計の動作を示すタイミング図である。【００８６】
以下、図１、図２、図６〜図８を参照して、本他の実施の形態に係るアナログ電子時計及び前記アナログ電子時計に好適なモータ制御回路の動作を、主として前記実施の形態と相違する部分について説明する。【００８７】
先ず、モータ負荷が小さく、主駆動パルスＰ１１によって回転駆動する場合の通常駆動動作（図８（ａ）参照）について説明する。【００８８】
この場合、先ず制御回路１０３は、分周回路１０２からの時間信号を計数して計時動作を行い、所定タイミングで、パルス幅の短い第１主駆動パルスＰ１１でモータ１０５を回転駆動するように制御信号を出力する（図７のステップＳ７０１）。【００８９】
駆動パルス選択回路１０４は、制御回路１０３からの制御信号に応答して、主駆動パルスＰ１１でモータ１０５を回転駆動する。モータ１０５は主駆動パルスＰ１１によって回転駆動されて、時刻針１０７〜１０９を回転駆動する。これにより、表示部１０６には、時刻針１０７〜１０９によって現在時刻が随時表示される。【００９０】
回転検出回路１１０は、モータ１０５から回転状況を表す回転検出信号を検出して検出時間判別回路１１１に出力する。検出時間判別回路１１１は、回転検出回路１１０からの回転検出信号と所定の基準信号電圧Ｖｃｏｍｐとを比較して、回転検出信号電圧が前記基準信号電圧Ｖｃｏｍｐを越えたか否か、即ち、モータ１０５が回転したか否かを判別して、回転したか否かを制御回路１０３に通知すると共に、前記基準信号電圧Ｖｃｏｍｐを越える回転検出信号を検出した場合には、主駆動パルスＰ１１をモータ１０５に供給完了してから該回転検出信号が発生するまでの時間と所定の基準時間（パルス切換判断時間）ｔ１とを比較して、前記発生するまでの時間が基準時間ｔ１より大きい（長い）か否かを制御回路１０３に通知する。【００９１】
制御回路１０３は、検出時間判定回路１１１からの情報に基づいて、回転検出信号の電圧が基準信号電圧Ｖｃｏｐｍｐを越えたか否か、即ち、モータ１０５が回転したか否かを判別する（ステップＳ７０２）。【００９２】
また、制御回路１０３は、ステップＳ７０２において、回転検出信号電圧が基準信号電圧Ｖｃｏｍｐを越えたと判断した場合、即ち、モータ１０５が回転したと判断した場合には、主駆動パルスＰ１１をモータ１０５に供給してから前記回転検出信号が発生するまでの時間が第１基準時間であるパルス切換判断時間ｔ１よりも長いか否かを判断する（ステップＳ７０３）。【００９３】
制御回路１０３は、ステップＳ７０３において、前記回転検出信号が発生するまでの時間がパルス切換判断時間ｔ１よりも長いと判断した場合には、主駆動パルスＰ１１では駆動エネルギが幾分不足していると判断して、主駆動パルスＰ１１よりもエネルギの大きい主駆動パルスＰ１２に切り換えてモータ５を回転駆動するように制御する（ステップＳ７０５）。【００９４】
制御回路１０３は、ステップＳ７０２において、回転検出信号電圧が基準信号電圧Ｖｃｏｍｐを越えていないと判断した場合、即ち、モータ１０５が回転しなかったと判断した場合には、補正駆動パルスＰ２によってモータ１０５を回転駆動した後、主駆動パルスＰ１２に切り換えてモータ１０５を回転駆動するように制御する（ステップＳ７０４）。【００９５】
また、制御回路１０３は、ステップＳ７０３において、前記回転検出信号が発生するまでの時間がパルス切換判断時間ｔ１よりも長くないと判断した場合には、主駆動パルスＰ１１による回転駆動が適切であると判断して、ステップＳ７０１に戻る。【００９６】
制御回路１０３は、ステップＳ７０５において、主駆動パルスＰ１２による駆動を行った後、検出時間判定回路１１１からの情報に基づいて、回転検出信号の電圧が基準信号電圧Ｖｃｏｐｍｐを越えたか否か、即ち、モータ１０５が回転したか否かを判別する（ステップＳ７０６）。【００９７】
制御回路１０３は、ステップＳ７０６において、回転検出信号電圧が基準信号電圧Ｖｃｏｍｐを越えたと判断した場合、即ち、モータ１０５が回転したと判断した場合には、主駆動パルスＰ１２をモータ１０５に供給してから前記回転検出信号が発生するまでの時間が、前記パルス切換判断時間ｔ１よりも短い第２基準時間であるパルス切換判断時間ｔ２よりも長いか否かを判断する（ステップＳ７０７）。【００９８】
制御回路１０３は、ステップＳ７０７において、前記回転検出信号が発生するまでの時間がパルス切換判断時間ｔ２よりも大きい（長い）と判断した場合には、主駆動パルスＰ１１では駆動エネルギが幾分不足しており主駆動パルスＰ１２による駆動が適切であると判断して、ステップＳ７０５に戻って、主駆動パルスＰ１２による回転駆動を継続するように制御する。【００９９】
制御回路１０３は、ステップＳ７０６において、回転検出信号電圧が基準信号電圧Ｖｃｏｍｐを越えていないと判断した場合、即ち、モータ１０５が回転しなかったと判断した場合には、補正駆動パルスＰ２によってモータ１０５を回転駆動した後、ステップＳ７０１に戻り、主駆動パルスＰ１１に切換えてモータ１０５を回転駆動するように制御する（ステップＳ７０８）。【０１００】
また、制御回路１０３は、ステップＳ７０７において、前記回転検出信号が発生するまでの時間がパルス切換判断時間ｔ２よりも長くないと判断した場合には、主駆動パルスＰ１２による駆動ではエネルギが過大であり、主駆動パルスＰ１１による回転駆動が適切であると判断して、ステップＳ７０１に戻り、主駆動パルスＰ１１に切換えてモータ１０５を回転駆動する。【０１０１】
以上述べたように、本他の実施の形態においては、前記実施の形態と同様の効果を奏するばかりでなく、主駆動パルスＰ１１、Ｐ１２間の切換えの際に、補正駆動パルスＰ２による駆動を経由することなく切換えているため、更に省エネルギ化が可能になるという効果を奏する。また、ロータ、ステータ等の部品事態のバラツキや組み立てバラツキにより生じる検出時間のバラツキによって、主駆動パルスＰ１２から主駆動パルスＰ１１にパルスダウンしない事態の発生を抑制することが可能になる。【０１０２】
尚、前記他の実施の形態では、複数のパルス切換判断時間ｔ１、ｔ２は異なる時間に設定したが、同一であっても良い。【０１０３】
また、前記実施の形態では、駆動エネルギが異なる複数の主駆動パルスとして、相互にパルス幅の異なる主駆動パルスを用いたが、駆動パルスの電圧レベルが相互に異なるように、あるいはパルス幅及び電圧レベルの双方が相互に異なるように構成してもよい。
【産業上の利用可能性】
【０１０４】
本発明のアナログ電子時計は、アナログ電子腕時計やアナログ電子置時計、カレンダ機能付きアナログ電子時計等の各種アナログ電子時計に適用可能であり、特に、電池を電源とずるアナログ電子時計に好適である。【０１０５】
また、本発明のモータ制御回路は、前記アナログ電子時計における時刻針やカレンダ駆動用ステップモータのモータ制御回路をはじめとして、各種モータのモータ制御回路に適用可能である。
【図１】
0004863871.tif 000002
【図２】
0004863871.tif 000003
【図３】
0004863871.tif 000004
【図４】
0004863871.tif 000005
【図５】
0004863871.tif 000006
【図６】
0004863871.tif 000007
【図７】
0004863871.tif 000008
【図８】
0004863871.tif 000009